(57)【要約】【課題】初期化時の挟み込み検出を可能にした挟み込み検出装置を提供すること。【解決手段】腕を模した治具を挟み込ませた想定（ａ）の場合、３パルス当たりの上昇荷重［Ｎ］の増加量は３０［Ｎ］である。一方、指を模した治具を挟み込ませた想定（ｂ）の場合も、３パルス当たりの上昇荷重［Ｎ］の増加量は３０［Ｎ］である。他方、窓枠を閉じ切った想定（ｃ）の場合には、３パルス当たりの上昇荷重［Ｎ］の増加量は５５０［Ｎ］である。こうした上昇荷重［Ｎ］の増加傾向の違いから、腕或いは指といった人体と窓枠とを区別できることになる。【選択図】図４
2019027247.tif 000002
【特許請求の範囲】
【請求項１】
開閉体による物体の挟み込みを検出する挟み込み検出装置において、
前記開閉体を開閉させるアクチュエータへ供給される電力の駆動電圧及び駆動電流、並びに前記アクチュエータの駆動に応じて生成されるパルス信号に基づいて、前記開閉体の位置に応じた移動荷重を演算し、前記移動荷重の増加量が第１の規定値以上で、且つ、前記第１の規定値よりも大きな第２の規定値以下のときと、前記開閉体が閉じ切り位置に到達することに伴い前記移動荷重の増加量が前記第２の規定値を超えるときと、を区別する挟み込み対象物識別部を備えた
ことを特徴とする挟み込み検出装置。
【請求項２】
前記挟み込み対象物識別部は、前記移動荷重を演算する度に、それぞれの１つ前の移動荷重と比較し、移動荷重が増加し続ける前記開閉体の位置の区間内における前記移動荷重の増加量を監視する
請求項１に記載の挟み込み検出装置。
【請求項３】
前記パルス信号は、単位パルス信号が連続的に発生する電気信号であり、
前記挟み込み対象物識別部は、前記駆動電圧と前記駆動電流と前記単位パルス信号当たりの前記開閉体の移動時間との積を、前記単位パルス信号当たりの前記開閉体の移動距離で割ることにより、前記移動荷重を演算する
請求項１又は２に記載の挟み込み検出装置。
【請求項４】
前記挟み込み対象物識別部は、単数の単位パルス信号又は連続する複数の単位パルス信号の組み合わせによる基準パルス信号を選択し、前記基準パルス信号当たりの前記移動荷重の増加量を監視する
請求項３に記載の挟み込み検出装置。
【請求項５】
前記挟み込み対象物識別部は、前記第１の規定値を挟み込み検出の閾値の下限値に設定するとともに、前記第２の規定値を挟み込み検出の閾値の上限値に設定し、前記移動荷重の増加量が前記第１の規定値以上で、且つ、前記第２の規定値以下のとき、前記開閉体による物体の挟み込みがあったと判定する
請求項１〜４のいずれか一項に記載の挟み込み検出装置。
【請求項６】
前記挟み込み対象物識別部は、前記移動荷重の増加量が前記第２の規定値を超えたとき、前記開閉体が閉じ切り位置に到達したと判定する
請求項５に記載の挟み込み検出装置。
【発明の詳細な説明】
【技術分野】
【０００１】
本発明は、開閉体による物体の挟み込みを検出する挟み込み検出装置に関する。
【背景技術】
【０００２】
従来、車両のパワーウインド装置は、乗員による車載スイッチの操作に基づいて、車両側部に設けられたドアのウインドガラスを自動的に上下動させて開閉する。このようなパワーウインド装置には、ウインドガラスによる物体の挟み込みを検出する挟み込み検出装置を備えたものがある（例えば、特許文献１を参照）。
【０００３】
物体の挟み込みを検出する方法としては、パルス検出方式が知られている。パルス検出方式は、ウインドガラスを開閉するモータの回転速度を検出して、当該回転速度に比例した周期のパルス信号を生成することにより行われる。ここで、一般的には、モータの回転速度が速い場合にはパルス周期（パルス信号の周期）は短いのに対し、モータの回転速度が遅い場合にはパルス周期は長くなる。一定の回転速度でウインドガラスの開閉操作をしている場合には、パルス周期は一定であるのに対し、ウインドガラスに物体が挟み込まれた場合等には、パルス周期が長くなる。このため、挟み込み検出装置は、パルス周期に基づいて、ウインドガラスによる物体の挟み込みを検出することができる。すなわち、この挟み込み検出装置は、検出されたパルス信号に基づいて挟み込みの有無を検出し、パルス幅時間が閾値以上となったときに、ウインドガラスによる物体の挟み込みがあったとして、ウインドガラスを反転作動又は停止させる。
【先行技術文献】
【特許文献】
【０００４】
【特許文献１】特開２０００−１５２６７７号公報
【発明の概要】
【発明が解決しようとする課題】
【０００５】
ところで、パワーウインド装置では、ウインドガラスの位置を確定させる初期化が必要であり、この初期化前（窓位置確定前）に挟み込み検出ができない。なぜなら、窓枠も挟み込み対象物として認識してしまうためである。仮に窓枠を挟み込み対象物として認識してしまうと、ウインドガラスを閉じ切ることができず、いわゆる誤反転が発生することになる。
【０００６】
本発明は、このような問題点に着目してなされたものであって、その目的は、初期化時の挟み込み検出を可能にした挟み込み検出装置を提供することにある。
【課題を解決するための手段】
【０００７】
上記課題を解決する挟み込み検出装置は、開閉体による物体の挟み込みを検出する挟み込み検出装置において、前記開閉体を開閉させるアクチュエータへ供給される電力の駆動電圧及び駆動電流、並びに前記アクチュエータの駆動に応じて生成されるパルス信号に基づいて、前記開閉体の位置に応じた移動荷重を演算し、前記移動荷重の増加量が第１の規定値以上で、且つ、前記第１の規定値よりも大きな第２の規定値以下のときと、前記開閉体が閉じ切り位置に到達することに伴い前記移動荷重の増加量が前記第２の規定値を超えるときと、を区別する挟み込み対象物識別部を備えた。
【０００８】
この構成によれば、移動荷重の増加傾向の違いを利用して挟み込み対象物を識別することにより、開閉体の位置を確定させる初期化時に誤反転なく挟み込み検出ができる。
上記挟み込み検出装置について、前記挟み込み対象物識別部は、前記移動荷重を演算する度に、それぞれの１つ前の移動荷重と比較し、移動荷重が増加し続ける前記開閉体の位置の区間内における前記移動荷重の増加量を監視することとしてもよい。
【０００９】
この構成によれば、挟み込み対象物を識別するのに先立ち、挟み込み対象物の存在を肯定できる。
上記挟み込み検出装置について、前記パルス信号は、単位パルス信号が連続的に発生する電気信号であり、前記挟み込み対象物識別部は、前記駆動電圧と前記駆動電流と前記単位パルス信号当たりの前記開閉体の移動時間との積を、前記単位パルス信号当たりの前記開閉体の移動距離で割ることにより、前記移動荷重を演算することとしてもよい。
【００１０】
この構成によれば、電力量が電力と時間との積で表されるとともに、仕事が力の大きさと力の向きに移動した距離との積で表される基本公式からエネルギー保存の法則により作成される計算式を用いて、移動荷重を正確に演算できる。
【００１１】
上記挟み込み検出装置について、前記挟み込み対象物識別部は、単数の単位パルス信号又は連続する複数の単位パルス信号の組み合わせによる基準パルス信号を選択し、前記基準パルス信号当たりの前記移動荷重の増加量を監視することとしてもよい。
【００１２】
この構成によれば、基準パルス信号当たりの移動荷重の増加量に応じて挟み込み対象物を識別できる。
上記挟み込み検出装置について、前記挟み込み対象物識別部は、前記第１の規定値を挟み込み検出の閾値の下限値に設定するとともに、前記第２の規定値を挟み込み検出の閾値の上限値に設定し、前記移動荷重の増加量が前記第１の規定値以上で、且つ、前記第２の規定値以下のとき、前記開閉体による物体の挟み込みがあったと判定することとしてもよい。
【００１３】
この構成によれば、移動荷重の増加量を挟み込み検出の閾値と比較することで、挟み込みの有無を検出できる。
上記挟み込み検出装置について、前記挟み込み対象物識別部は、前記移動荷重の増加量が前記第２の規定値を超えたとき、前記開閉体が閉じ切り位置に到達したと判定することとしてもよい。
【００１４】
この構成によれば、第２の規定値をいわば閉じ切り検出の閾値の下限値に設定しつつ、移動荷重の増加量を閉じ切り検出の閾値と比較することで、開閉体の閉じ切りを検出できる。
【発明の効果】
【００１５】
本発明によれば、初期化時に挟み込み検出ができる。
【図面の簡単な説明】
【００１６】
【図１】パワーウインド装置の概略構成図。
【図２】パワーウインド装置のブロック図。
【図３】挟み込み対象物識別部の動作例を示す図。
【図４】想定（ａ）〜（ｃ）の場合における上昇荷重の推移を示すグラフ。
【図５】挟み込み対象物識別方法の概念図。
【発明を実施するための形態】
【００１７】
以下、挟み込み検出装置の一実施の形態について説明する。
図１に示すように、挟み込み検出装置の適用例であるパワーウインド装置１は、車両側部のドア２に設けられた可動式のウインドガラス３を、例えばモータを動力源とするアクチュエータ４により自動的に開閉させる。ウインドガラス３は、略垂直方向に一致するスライド方向Ｄに上下動し、上昇による閉作動と下降による開作動とにより、ドアフレーム５の開口部６を開閉する。ウインドガラス３は開閉体の一例である。
【００１８】
図２に示すように、パワーウインド装置１は、ウインドガラス３の開閉制御を司るコントローラ１０の他、乗員により操作される操作部１１を備えている。コントローラ１０は、操作部１１から入力される操作信号に基づいて、駆動回路７を制御しつつ、バッテリ８からの電力をアクチュエータ４に供給することにより、ウインドガラス３を開閉させる。
【００１９】
コントローラ１０には、パルス検出部１２の他、電圧検出部１３、電流検出部１４が電気的に接続されている。パルス検出部１２は、アクチュエータ４におけるモータの回転に同期したパルス信号Ｐを生成する。パルス信号Ｐは、矩形波による単位パルス信号が連続的に発生する電気信号である。コントローラ１０は、単位パルス信号をカウントすることにより、ウインドガラス３の位置を認識する。つまり、単位パルス信号当たりのウインドガラス３の移動距離が規定されていることを前提に、例えばウインドガラス３の全開位置のカウント値を「０」としつつ、単位パルス信号をカウントすることにより、全開位置を基点にウインドガラス３の位置を認識できることになる。
【００２０】
電圧検出部１３は、給電経路Ｒｐを通じて駆動回路７からアクチュエータ４へ供給される電力の駆動電圧Ｖを検出し、電流検出部１４は、給電経路Ｒｐを通じて駆動回路７からアクチュエータ４へ供給される電力の駆動電流Ｉを検出する。
【００２１】
コントローラ１０は、パルス検出部１２によるパルス信号Ｐの他、電圧検出部１３による駆動電圧Ｖ、電流検出部１４による駆動電流Ｉを監視しつつ、以下に示す基本公式からエネルギー保存の法則により作成される計算式を用いてウインドガラス３の上昇荷重を演算する。
【００２２】
まず、電力量Ｗ［Ｊ］は基本公式（１）により表され、仕事Ｗ［Ｊ］は基本公式（２）により表される。
電力量Ｗ［Ｊ］＝電力Ｐ［Ｗ］×時間ｔ［ｓ］  …（１）
仕事Ｗ［Ｊ］＝力の大きさＦ［Ｎ］×力の向きに移動した距離ｄ［ｍ］  …（２）
そして、エネルギー保存の法則により、基本公式（１）の電力量Ｗ［Ｊ］と基本公式（２）の仕事Ｗ［Ｊ］とが等しいことを前提に、力の大きさＦ［Ｎ］について解くと、ウインドガラス３の上昇荷重［Ｎ］は次式（３）により表すことができる。
【００２３】
ウインドガラス３の上昇荷重［Ｎ］＝駆動電圧Ｖ［Ｖ］×駆動電流Ｉ［Ａ］×単位パルス信号当たりのウインドガラス３の移動時間ｔ［ｓ］／単位パルス信号当たりのウインドガラス３の移動距離ｄ［ｍ］  …（３）
つまり、単位パルス信号当たりのウインドガラス３の移動距離ｄ［ｍ］が規定されていることを前提に、駆動電圧Ｖ［Ｖ］及び駆動電流Ｉ［Ａ］及び単位パルス信号当たりのウインドガラス３の移動時間ｔ［ｓ］を監視することにより、ウインドガラス３の上昇荷重［Ｎ］を演算できることになる。
【００２４】
ここで、ウインドガラス３に物体が挟み込まれた場合には、ウインドガラス３に物体が挟み込まれていない場合に比べ、ウインドガラス３の上昇荷重［Ｎ］が大きくなる。そして、この点を考慮した閾値が規定されていることを前提に、ウインドガラス３の上昇荷重［Ｎ］の増加量を当該閾値と比較することで、ウインドガラス３による物体の挟み込みを検出できることになる。コントローラ１０は、ウインドガラス３による物体の挟み込みがあったと判定したとき、ウインドガラス３を反転作動又は停止させる。
【００２５】
ところで、ウインドガラス３が閉じ切り位置に到達した場合にも、ウインドガラス３の上昇荷重［Ｎ］が大きくなる。このため、本例に対する比較例では、ウインドガラス３の位置を確定させる初期化前（窓位置確定前）に挟み込み検出を有効にした場合、窓枠も挟み込み対象物として認識してしまうため、ウインドガラス３を閉じ切ることができず、いわゆる誤反転が発生することになる。ちなみに、初期化後であれば、閉じ切り位置付近に挟み込み検出が無効になる不感帯を設定することができ、この不感帯のエリアでウインドガラス３の上昇荷重［Ｎ］の増加量が閾値の下限値以上となった場合に、ウインドガラス３による物体の挟み込みがあったとは判定せず、閉じ切り位置に到達するまでウインドガラス３を閉作動させることができる。このように比較例では、初期化後には、誤反転なく挟み込み検出ができるようになる。
【００２６】
これに対し、本例では、初期化前でも、誤反転なく挟み込み検出ができるようにするための工夫を凝らした。そして、これを実現するために、コントローラ１０は、挟み込み対象物識別部１５を備えている。
【００２７】
図３に示すように、挟み込み対象物識別部１５は、パルス信号Ｐにおいて、単位パルス信号毎にウインドガラス３の上昇荷重［Ｎ］を上記式（３）により演算する。そして、挟み込み対象物識別部１５は、上昇荷重［Ｎ］を演算する度に、それぞれの１つ前の上昇荷重［Ｎ］と比較し、上昇荷重［Ｎ］が増加し続けるウインドガラス３の位置の区間内における上昇荷重［Ｎ］の増加量を監視する。
【００２８】
ここで、図３に示すパルス信号Ｐにおいて、１つ目の単位パルス信号と２つ目の単位パルス信号とを比較すると、２つ目の単位パルス信号当たりのウインドガラス３の移動時間ｔ［ｓ］が、１つ目の単位パルス信号当たりのウインドガラス３の移動時間ｔ［ｓ］よりも短い。このため、１つ目の単位パルス信号を基に演算されるウインドガラス３の上昇荷重［Ｎ］よりも、２つ目の単位パルス信号を基に演算されるウインドガラス３の上昇荷重［Ｎ］の方が小さくなる。
【００２９】
同様に、２つ目の単位パルス信号と３つ目の単位パルス信号とを比較すると、３つ目の単位パルス信号当たりのウインドガラス３の移動時間ｔ［ｓ］が、２つ目の単位パルス信号当たりのウインドガラス３の移動時間ｔ［ｓ］よりも長い。このため、２つ目の単位パルス信号を基に演算されるウインドガラス３の上昇荷重［Ｎ］よりも、３つ目の単位パルス信号を基に演算されるウインドガラス３の上昇荷重［Ｎ］の方が大きくなる。尚、３つ目の単位パルス信号を基に演算されたウインドガラス３の上昇荷重［Ｎ］を便宜上３００［Ｎ］とする。
【００３０】
そして、３つ目の単位パルス信号と４つ目の単位パルス信号とを比較すると、４つ目の単位パルス信号当たりのウインドガラス３の移動時間ｔ［ｓ］が、３つ目の単位パルス信号当たりのウインドガラス３の移動時間ｔ［ｓ］よりも長い。このため、３つ目の単位パルス信号を基に演算されるウインドガラス３の上昇荷重［Ｎ］よりも、４つ目の単位パルス信号を基に演算されるウインドガラス３の上昇荷重［Ｎ］の方が大きくなる。尚、４つ目の単位パルス信号を基に演算されたウインドガラス３の上昇荷重［Ｎ］を便宜上３１０［Ｎ］とする。
【００３１】
そして、４つ目の単位パルス信号と５つ目の単位パルス信号とを比較すると、５つ目の単位パルス信号当たりのウインドガラス３の移動時間ｔ［ｓ］が、４つ目の単位パルス信号当たりのウインドガラス３の移動時間ｔ［ｓ］よりも長い。このため、４つ目の単位パルス信号を基に演算されるウインドガラス３の上昇荷重［Ｎ］よりも、５つ目の単位パルス信号を基に演算されるウインドガラス３の上昇荷重［Ｎ］の方が大きくなる。尚、５つ目の単位パルス信号を基に演算されたウインドガラス３の上昇荷重［Ｎ］を便宜上３３０［Ｎ］とする。
【００３２】
これにより、上昇荷重［Ｎ］が増加し続けるウインドガラス３の位置の区間として、３つ目の単位パルス信号から５つ目の単位パルス信号までの３パルス分の区間が選択され、その区間内における上昇荷重［Ｎ］の増加量が監視される。尚、上昇荷重［Ｎ］が増加し続けるウインドガラス３の位置の区間として選択された上記３パルス分の区間によって、連続する３つの単位パルス信号の組み合わせによる基準パルス信号が規定され、その基準パルス信号当たりの上昇荷重［Ｎ］の増加量が監視されることになる。図３の例では、基準パルス信号当たりの上昇荷重［Ｎ］の増加量は３０［Ｎ］である。
【００３３】
挟み込み対象物識別部１５は、基準パルス信号当たりの上昇荷重［Ｎ］の増加量が第１の規定値（一例は３０［Ｎ］）未満のとき、ウインドガラス３による物体の挟み込みがないと判定する。一方、挟み込み対象物識別部１５は、基準パルス信号当たりの上昇荷重［Ｎ］の増加量が第１の規定値以上で、且つ、第２の規定値（一例は８０［Ｎ］）以下のとき、ウインドガラス３による物体の挟み込みがあったと判定する。他方、挟み込み対象物識別部１５は、基準パルス信号当たりの上昇荷重［Ｎ］の増加量が第２の規定値を超えたとき、ウインドガラス３が閉じ切り位置に到達したと判定する。
【００３４】
このように挟み込み対象物識別部１５は、基準パルス信号当たりの上昇荷重［Ｎ］の増加量が第１の規定値以上か否かを監視しつつ、挟み込み対象物の存在を肯定できるか否かを判定する。また、挟み込み対象物識別部１５は、基準パルス信号当たりの上昇荷重［Ｎ］の増加量が第１の規定値以上で、且つ、第２の規定値以下のときと、基準パルス信号当たりの上昇荷重［Ｎ］の増加量が第２の規定値を超えるときと、を区別しつつ、挟み込み対象物を識別する。もっとも、基準パルス信号当たりの上昇荷重［Ｎ］の増加量が第２の規定値を超えたとき、挟み込み対象物が窓枠であると認識されるため、ウインドガラス３の反転作動を伴わない。これにより、初期化前でも、誤反転なく挟み込み検出ができるようになる。
【００３５】
尚、第１の規定値は、挟み込み検出の閾値の下限値に相当し、第２の規定値は、挟み込み検出の閾値の上限値に相当する。そして、第２の規定値は、いわば閉じ切り検出の閾値の下限値に相当する。
【００３６】
次に、パワーウインド装置１の作用について説明する。
図４に示すように、腕を模した治具をウインドガラス３に挟み込ませた想定（ａ）の場合、基準パルス信号に該当する３パルス当たりの上昇荷重［Ｎ］の増加量は３０［Ｎ］である。一方、指を模した治具をウインドガラス３に挟み込ませた想定（ｂ）の場合も、基準パルス信号に該当する３パルス当たりの上昇荷重［Ｎ］の増加量は３０［Ｎ］である。他方、ウインドガラス３によって窓枠を閉じ切った想定（ｃ）の場合には、基準パルス信号に該当する３パルス当たりの上昇荷重［Ｎ］の増加量は５５０［Ｎ］である。こうした上昇荷重［Ｎ］の増加傾向の違いから、腕或いは指といった人体と窓枠とを区別できることになる。
【００３７】
具体的には、図５に示すように、条件（１）〜（３）を全て満足する場合に、挟み込み対象物が人体であると判定される。尚、本例における条件（１）とは、上昇荷重［Ｎ］が増加し続けるウインドガラス３の位置に該当することである。同じく条件（２）とは、３パルス移動時の上昇荷重［Ｎ］の増加量が３０［Ｎ］以上であることである。同じく条件（３）とは、３パルス移動時の上昇荷重［Ｎ］の増加量が８０［Ｎ］以下であることである。
【００３８】
そして、図４の想定（ａ）〜（ｃ）を条件（１）〜（３）に当て嵌めると、想定（ｃ）について条件（３）が非該当となる他は、全てが該当する。つまり、ウインドガラス３によって窓枠を閉じ切った想定（ｃ）の場合には、３パルス移動時の上昇荷重［Ｎ］の増加量が５５０［Ｎ］であるため、条件（３）の８０［Ｎ］を超えて非該当となる。これにより、人体と窓枠とを識別できることになり、上昇荷重［Ｎ］が想定（ａ）或いは（ｂ）に倣って推移した場合には、人体の挟み込みがあったことを検出してウインドガラス３を反転作動し、上昇荷重［Ｎ］が想定（ｃ）に倣って推移した場合には、閉じ切りを検出して誤反転を回避する。
【００３９】
以上説明したように、本実施の形態によれば、以下の効果を奏することができる。
（１）上昇荷重［Ｎ］の増加傾向の違いを利用して挟み込み対象物を識別することにより、ウインドガラス３の位置を確定させる初期化時に誤反転なく挟み込み検出ができる。
【００４０】
（２）挟み込み対象物を識別するのに先立ち、条件（１）により、挟み込み対象物の存在を肯定できる。
（３）電力量が電力と時間との積で表されるとともに、仕事が力の大きさと力の向きに移動した距離との積で表される基本公式からエネルギー保存の法則により作成される計算式を用いて、ウインドガラス３の上昇荷重［Ｎ］を正確に演算できる。
【００４１】
（４）基準パルス信号当たりの上昇荷重［Ｎ］の増加量に応じて挟み込み対象物を識別できる。
（５）上昇荷重［Ｎ］の増加量を挟み込み検出の閾値と比較することで、挟み込みの有無を検出できる。
【００４２】
（６）第２の規定値をいわば閉じ切り検出の閾値の下限値に設定しつつ、上昇荷重［Ｎ］の増加量を閉じ切り検出の閾値と比較することで、ウインドガラス３の閉じ切りを検出できる。
【００４３】
（７）初期化時に挟み込み対象物として人体を検出した際に反転作動するので、初期化時の安全確保に貢献できる。
（８）上記（７）に関連して、初期化時から挟み込み防止機能付のオート動作ができるため、作業性を向上できる。
【００４４】
尚、上記実施の形態は、次のように変更して具体化することも可能である。
・挟み込み検出の閾値の下限値に相当する第１の規定値は３０［Ｎ］に限らず任意である。尚、第１の規定値が小さい程、挟み込み対象物の存在が肯定されやすくなり、第１の規定値が大きい程、挟み込み対象物の存在が肯定されにくくなる。したがって、狙いの精度で挟み込み対象物の存在を肯定できるような第１の規定値を採用すればよい。
【００４５】
・挟み込み検出の閾値の上限値に相当する第２の規定値は８０［Ｎ］に限らず任意である。尚、想定（ｃ）との兼ね合いで例えば５００［Ｎ］といったような５５０［Ｎ］に近い値を第２の規定値としてもよい。
【００４６】
・上記実施の形態では、上昇荷重［Ｎ］が増加し続けるウインドガラス３の位置の区間として、３パルス分の区間を選択したが、区間最初の上昇荷重［Ｎ］が１つ前の上昇荷重［Ｎ］から増加していることを条件に２パルス分又は４パルス分以上の区間を選択してもよい。
【００４７】
・上記実施の形態では、連続する３つの単位パルス信号の組み合わせによる基準パルス信号当たりの上昇荷重［Ｎ］の増加量を監視したが、連続する２つ又は４つ以上の単位パルス信号の組み合わせによる基準パルス信号当たりの上昇荷重［Ｎ］の増加量を監視してもよい。
【００４８】
・上記実施の形態では、連続する複数の単位パルス信号の組み合わせによる基準パルス信号当たりの上昇荷重［Ｎ］の増加量を監視したが、単数の単位パルス信号による基準パルス信号当たりの上昇荷重［Ｎ］の増加量を監視してもよい。
【００４９】
・建物のシャッタ等のように、上昇による開作動と下降による閉作動とを行う開閉体による物体の挟み込みを検出する挟み込み検出装置に本発明を具体化してもよい。この場合、上記実施の形態におけるウインドガラス３の上昇荷重［Ｎ］に代わり、シャッタの下降荷重が開閉体の移動荷重に相当する。
【００５０】
・車両のスライドドア或いは建物の自動ドア等のように、水平方向に作動する開閉体による物体の挟み込みを検出する挟み込み検出装置に本発明を具体化してもよい。
・車両のサンルーフ等の開閉体による物体の挟み込みを検出する挟み込み検出装置に本発明を具体化してもよい。
【符号の説明】
【００５１】
１…パワーウインド装置（挟み込み検出装置）、２…ドア、３…ウインドガラス（開閉体）、４…アクチュエータ、５…ドアフレーム、６…開口部、７…駆動回路、８…バッテリ、１０…コントローラ、１１…操作部、１２…パルス検出部、１３…電圧検出部、１４…電流検出部、１５…挟み込み対象物識別部。
【図１】
2019027247.tif 000003
【図２】
2019027247.tif 000004
【図３】
2019027247.tif 000005
【図４】
2019027247.tif 000006
【図５】
2019027247.tif 000007